(57)【要約】【課題】  オプション機器を接続するだけでキー入力無効のキーが自動的に有効になるようにすることである。【解決手段】  通常使用されるキーと通常時はキー入力無効のキーとを配設したキーボード５と、オプション機器２３が接続されているか否かを検出するオプション機器接続検出手段と、このオプション機器接続検出手段によりオプション機器２３が接続されたことを検出した時にキー入力無効の前記キーを前記オプション機器２３に対応させて有効とする編集手段とよりなる。【選択図】    図１
2007034661.tif 000002
【特許請求の範囲】
【請求項１】
通常使用されるキーと通常時はキー入力無効のキーとを配設したキーボードと、オプション機器が接続されているか否かを検出するオプション機器接続検出手段と、このオプション機器接続検出手段によりオプション機器が接続されたことを検出した時にキー入力無効の前記キーを前記オプション機器に対応させて有効とする編集手段とよりなることを特徴とする電子式キャッシュレジスタ。
【発明の詳細な説明】
【技術分野】
【０００１】
本発明は、機能の拡張のために増設キーボードやスリッププリンタ等のオプション機器を接続することができる電子式キャッシュレジスタに関するものである。
【背景技術】
【０００２】
従来、増設キーボードやスリッププリンタ等のオプション機器を接続することができる電子式キャッシュレジスタにおいて、オプション機器が接続されると、そのオプション機器を動作させるためのキー、もしくは、オプション機器が接続されることにより必要となるキーが発生する。そのため、オプション機器を接続する度に、電子式キャッシュレジスタのキーボード上のキー配列を変更しなければならなかった。
【０００３】
このように電子式キャッシュレジスタのキーボード上のキー配列を変更するためには、種々の手段が存するが、特許文献１にその一例が示されている。すなわち、特許文献１に記載されたキーボードは、置数をするテンキースイッチ、複数のファンクションスイッチ、各商品部門或いは商品名と対応させた多数の部門スイッチ等をオンオフするキーよりなっているものであるが、これらの各種のキーの機能が変更設定されることを前提にしてその操作領域の文字、数字あるいは記号を変更可能とする技術が開示されている。
【０００４】
【特許文献１】特開２０００−２０２２３号公報
【発明の開示】
【発明が解決しようとする課題】
【０００５】
オプション機器を接続する度に、電子式キャッシュレジスタのキーボード上のキー配列を変更しなければならないということは、オプション機器接続時の手数が大変であり、実質的にはキーボードの再設定となる。そのため、オプション機器を接続するためには、専門的な技術が必要となり、簡単にオプション機器の接続あるいは交換をすることができない。
【課題を解決するための手段】
【０００６】
本発明は、通常使用されるキーと通常時はキー入力無効のキーとを配設したキーボードと、オプション機器が接続されているか否かを検出するオプション機器接続検出手段と、このオプション機器接続検出手段によりオプション機器が接続されたことを検出した時にキー入力無効の前記キーを前記オプション機器に対応させて有効とする編集手段とよりなる。
【発明の効果】
【０００７】
したがって、オプション機器を接続するだけでキー入力無効のキーが自動的に有効になり、キー配列の変更をしなくても所望のオプション機器をスムーズに使用可能とすることができる。
【発明を実施するための最良の形態】
【０００８】
本発明の実施の態様を図面に基いて説明する。まず、図１に示すように、電子式キャッシュレジスタ１は、ドロワ２の上部に本体制御部３が一体的に載置されており、この本体制御部３の本体ケース４の前方には、キーボード５が配設されており、中央部上方には表示部６が設けられている。また、この表示部６の左右には、レシート等を発行するプリンタ７が設けられている。また、このような電子式キャッシュレジスタ１に必要に応じて選択的に接続されて使用されるオプション機器である増設キーボード８が設けられている。この増設キーボード８は、例えば、レストラン等において使用されるものであり、メニュー毎の単価が各キーに割り当てられている。そのため、メニューの数に対応した数のキーが配設されているものである。
【０００９】
前記キーボード５には、０〜９のテンキーの他に各種のファンクションきーが配設されているものであるが、これらのキーの他に、通常は、キー入力無効であり、後述するようにオプション機器を接続することによりそのオプション機器に対応して有効となるキーが配設されており、本実施の態様においては、金額キー９及び伝票発行キー１０とが設けられている状態を例示する。
【００１０】
前記電子式キャッシュレジスタ１の回路的な基本構造を図３に示す。まず、ＣＰＵ１１が設けられ、このＣＰＵ１１には、バスライン１２を介して各種制御プログラムを格納したＲＯＭ（リードオンメモリ）１３、各種データを格納するメモリを有するＲＡＭ（ランダムアクセスメモリ）１４が接続されている。また、前記ＣＰＵ１１には、Ｉ／Ｏポート１５を介してキー割り付けコントローラ１６が接続されているとともに、表示部コントローラ１７を介して前記表示部６が接続され、また、キーボードコントローラ１８を介して前記キーボード５が接続されている。さらに、前記ＣＰＵ１１に接続されたＩ／Ｏポート１９が設けられ、このＩ／Ｏポート１９には、ドロワ解除装置２０を介して前記ドロワ２が接続され、また、プリンタ駆動回路２１を介して前記プリンタ７が接続されている。また、前記Ｉ／Ｏポート１９には、オプション機器接続口２２が接続されており、このオプション機器接続口２２には、各種のオプション機器２３が選択的に接続される。その一例として前記増設キーボード８がオプション機器２３として接続される。
【００１１】
図４に示すものは、オプション機器接続検出手段２４である。すなわち、Ｐ００〜Ｐ１３と表記した接続端子を備えた前記ＣＰＵ１１に、＋５Ｖの駆動電圧が印加されたＥＣＲコネクタ２５のＳＥＬＥＣＴライン２６が接続されている。このＥＣＲコネクタ２５には、「＋５Ｖ」、「ＳＥＬＥＣＴ」、「ＴＸＤ」、「ＲＸＤ」、「ＣＳ」、「ＩＮＴ」、「ＳＧ」のそれぞれの接続部が設けられている。また、前記ＥＣＲコネクタ２５に選択的に接続される増設キーボードコネクタ２７が設けられている。この増設キーボードコネクタ２７にも、前記ＥＣＲコネクタ２５と同様に、「＋５Ｖ」、「ＳＥＬＥＣＴ」、「ＴＸＤ」、「ＲＸＤ」、「ＣＳ」、「ＩＮＴ」、「ＳＧ」の接続部が設けられており、特に、前記「ＳＥＬＥＣＴ」ライン及び前記「ＳＧ」ラインは、接地されている。したがって、ＥＣＲコネクタ２５に増設キーボードコネクタ２７を接続することにより、「ＳＥＬＥＣＴ」信号が、Ｈ→Ｌに変化し、この信号レベルをＣＰＵ１１側で検出することにより、オプション機器２３が接続されたことを認識する。
【００１２】
このような構成において、電子式キャッシュレジスタ１のみの使用状態においては、キーボード５上の各種のキーの内、金額キー９と伝票発行キー１０とは、それらを押下しても何の信号も出ない状態、すなわち、キー入力無効の状態になっている。そのため、これらの金額キー９と伝票発行キー１０とを使用しない状態での操作が行われているものである。
【００１３】
この状態において、レストラン等においては、メニューにある料理の単価を一つのキー毎に割り振った状態の増設キーボード８を使用することが多い。このような場合には、増設キーボード８を電子式キャッシュレジスタ１に接続する。この接続時に、ＥＣＲコネクタ２５に増設キーボードコネクタ２７が接続されるものであるが、これらの接続により、接続されたオプション機器２３の判定がなされる。この判定は、前述のように、「ＳＥＬＥＣＴ」信号が、Ｈ→Ｌに変化し、この信号レベルをＣＰＵ１１側で検出することにより、接続されたオプション機器２３が増設キーボード８であることが認識される。ついで、接続された増設キーボード８が使用可能であるかどうかのチェックもなされる。当該増設キーボード８が使用可能であることは、電子式キャッシュレジスタ１側で予めプログラム制御されるよう設定されているものであるが、もし、使用不能である場合には、使用するオプション機器２３のドライバーを入力して使用可能な状態とする。ここで、接続されたのが増設キーボード８であるので、その増設キーボード８の個々のキーには、メニューに対応した単価が入力されるように設定されているものであり、そのまま、メニューの単価入力を行うことができる。しかるに、期間商品の設定や特売等の理由により、レストランにおけるメニューの単価は変更されることがあり、この変更設定は、電子式キャッシュレジスタ１側で行われる。その場合には、金額変更のために、キーボード５上の金額キー９が使用可能である必要がある。この金額キー９が使用可能であることは、電子式キャッシュレジスタ１側のＥＣＲコネクタ２５に増設キーボード８側の増設キーボードコネクタ２７を接続することにより、「ＳＥＬＥＣＴ」信号が、Ｈ→Ｌに変化し、この信号レベルをＣＰＵ１１側で検出することにより、金額キー９が使用可能となる。すなわち、当該オプション機器２３で使用するキーボードパターンを呼び出し、そのキーボードパターンに必要なキーがキーボード５に存在するかどうかをチェックし、存在する場合には、当該オプション機器２３で使用するすべてのキーをアクティブにし、かつ、オプション機器２３、この場合には、増設キーボード８が接続されていることを表示する。この場合、増設キーボード８を認識してキー入力無効であった金額キー９を有効とする作用をする編集手段が設けられていることになり、この編集手段により、増設キーボード８に対応させてキー入力無効であったキーを有効とするものである。
【００１４】
また、全く新規のオプション機器２３である場合などは、そのオプション機器２３で使用するキーがキーボード５に存在しない場合がある。このような場合には、必要とするキーを新たな設定しなければならないので、空キーがあるかどうかをチェックして空キーがあれば、そのキーを必要な機能キーとして使用できるように設定する。
【００１５】
前述の場合には、オプション機器２３を増設キーボード８として説明したが、他のオプション機器２３として、伝票発行に使用するスリッププリンタ（図示せず）などがある。このスリッププリンタに対しては、キーボード５上で、伝票発行キー１０が準備されている。そのため、スリッププリンタが接続される前は、伝票発行キー１０はキー入力無効の状態であるが、スリッププリンタを接続することにより使用可能な状態になり、伝票発行をスリッププリンタで行うことができるようにする。
【図面の簡単な説明】
【００１６】
【図１】本発明の実施の態様を示すもので、電子式キャッシュレジスタと増設キーボードとの斜視図である。
【図２】電子式キャッシュレジスタのキーボードの平面図である。
【図３】電子式キャッシュレジスタの回路的な基本構造を示すブロック図である。
【図４】オプション機器接続検出手段の回路図である。
【図５】動作の一例を示すフローチャートである。
【符号の説明】
【００１７】
５    キーボード
２３    オプション機器
【図１】
2007034661.tif 000003
【図２】
2007034661.tif 000004
【図３】
2007034661.tif 000005
【図４】
2007034661.tif 000006
【図５】
2007034661.tif 000007